(57)【要約】      （修正有）【課題】縦方向に並置された複数の本体ユニットから構成されている本体を備え、簡易な構成で、本体ユニットどうしが横方向にずれにくい段ボール製家具を提供する。【解決手段】段ボール製の家具（ベッド）は、互いに分離可能で縦方向に沿って並置される複数の本体ユニット１１ａ、１１ｂ、１１ｃを有する本体１と、本体の上側に載置される天板５１を有する天板部材５と、を備える。天板部材は、天板の横方向側の少なくとも一方の側縁近傍に設けられた縦方向に延びる長板状の差込部５２を備える。各々の本体ユニットは差込部を差し込み可能な受入部３２ｃを備える。差込部は、第１の本体ユニット１１ａの受入部と第１の本体ユニットに隣接する第２の本体ユニット１１ｂの受入部とにわたって差し込まれる。【選択図】図４
0003231361.tif 000002
【実用新案登録請求の範囲】
【請求項１】
段ボール製家具であって、
互いに分離可能で第１方向に沿って並置される複数の本体ユニットを有する本体と、
前記本体の上側に載置される天板を有する天板部材と、を備え、
前記天板部材は、前記天板の前記第１方向に直交する第２方向側の少なくとも一方の側縁近傍に設けられた前記第１方向に延びる長板状の差込部を備え、
各々の前記本体ユニットは前記差込部を差し込み可能な受入部を備え、
前記差込部は、第１の前記本体ユニットの前記受入部と当該第１の本体ユニットに隣接する第２の前記本体ユニットの前記受入部とにわたって差し込まれる段ボール製家具。
【請求項２】
前記差込部は、前記天板部材の前記第２方向側の側縁近傍部分を下方に向けて折り曲げて形成され、
前記受入部は前記本体ユニットの上方に向けて開口するように設けられている請求項１記載の段ボール製家具。
【請求項３】
前記受入部は前記本体ユニットの上方に向けて開口するように設けられ、
前記本体ユニットの前記第２方向側の側部に配置されるカバー部材を備え、
前記カバー部材は、
前記本体ユニットの前記第２方向側を覆うサイドボードと、
前記サイドボードの上方に連接し、前記本体ユニット側に９０°折り曲げられた折り返し部と、
前記折り返し部の前記本体ユニット側に連接し、前記本体ユニット側に９０°折り曲げられ、前記受入部に差し込み可能な板状の補強差込部と、を備えている請求項１または２記載の段ボール製家具。
【考案の詳細な説明】
【技術分野】
【０００１】
本考案は、段ボール製のベッド等の家具、特に、並置された複数の本体ユニットから構成されている本体を備えた段ボール製家具に関する。
【背景技術】
【０００２】
従来、災害時の避難場所等では床に直接布団を敷いて寝たり、座布団を敷いて座ったりしており、居住性に問題があった。このような問題を解決するために、段ボール製の家具（ベッド、ベンチ等）が提案されている。
【０００３】
例えば、特許文献１の段ボール製の組み立てベッドや特許文献２の組立式家具では、井桁状に組んだ中仕切りをスリーブで外囲した箱と、その箱の上方を覆う天板と、を備えている。このような構成により、組み立てが簡便であり、高い垂直強度を備えている。
【０００４】
また、特許文献１の段ボール製の組み立てベッドでは、上述の箱を縦（長さ）方向に３つ並べて配置し、端の天板を中央の箱に差し込んでいる。一方、特許文献２の組立式家具では、上述の箱を縦方向に２つ並べて配置し、連結体によって箱どうしを連結している。これらのような構成によって、並べて配置した箱が分離しにくくなっている。
【先行技術文献】
【特許文献】
【０００５】
【特許文献１】登録実用新案第３２０４２３６号公報
【特許文献２】登録実用新案第３２２２３４８号公報
【考案の概要】
【考案が解決しようとする課題】
【０００６】
上述したように、特許文献１，２では、縦方向に複数個の箱を配置し、箱どうし分離しにくくなる工夫をしている。しかしながら、一般的にベッドでは寝返りによる横方向（縦方向と直交する方向）のずれが大きいと考えられるが、特許文献１の構成では、横方向のずれに対する強度は大きくないと考えられる。また、特許文献２の構成では、下端に切り欠きが形成された板状部材である連結体を箱の横側に差し込んでいるため、横方向のずれに対する強度は高くなっている。しかしながら、部品点数が多くなり、また、切り欠き加工が必要となるため、製造コストが上昇するおそれがある。
【０００７】
本考案は上記課題に鑑みてなされたものであり、その目的は、縦方向に並置された複数の本体ユニットから構成されている本体を備え、簡易な構成で、本体ユニットどうしが分離しにくい段ボール製家具を提供することにある。
【課題を解決するための手段】
【０００８】
上記課題を解決するために、本考案に係る、段ボール製家具の好適な実施形態の一つでは、互いに分離可能で第１方向に沿って並置される複数の本体ユニットを有する本体と、前記本体の上側に載置される天板を有する天板部材と、を備え、前記天板部材は、前記天板の前記第１方向に直交する第２方向側の少なくとも一方の側縁近傍に設けられた前記第１方向に延びる長板状の差込部を備え、各々の前記本体ユニットは前記差込部を差し込み可能な受入部を備え、前記差込部は、第１の前記本体ユニットの前記受入部と当該第１の本体ユニットに隣接する第２の前記本体ユニットの前記受入部とにわたって差し込まれる。
【０００９】
この構成では、天板部材に備えられた差込部が、並置された本体ユニットに形成された差込部に差し込まれるため、天板を本体に対して固定するとともに、本体ユニットどうしが分離するのを抑制することができる。特に、差込部が第２方向側に設けられているため、本体ユニットが横方向にずれるのを抑制することができる。
【００１０】
本考案に係る段ボール製家具の好適な実施形態の一つでは、前記差込部は、前記天板部材の前記第２方向側の側縁近傍部分を下方に向けて折り曲げて形成され、前記受入部は前記本体ユニットの上方に向けて開口するように設けられている。
【００１１】
このように、差込部と受入部とを構成することにより、段ボール製家具の組み立てが容易となる。
【００１２】
本考案に係る段ボール製家具の好適な実施形態の一つでは、前記受入部は前記本体ユニットの上方に向けて開口するように設けられ、前記本体ユニットの前記第２方向側の側部に配置されるカバー部材を備え、前記カバー部材は、前記本体ユニットの前記第２方向側を覆うサイドボードと、前記サイドボードの上方に連接し、前記本体ユニット側に９０°折り曲げられた折り返し部と、前記折り返し部の前記本体ユニット側に連接し、前記本体ユニット側に９０°折り曲げられ、前記受入部に差し込み可能な板状の補強差込部と、を備えている。
【００１３】
この構成では、天板部材の差込部とともに受入部に差し込まれたカバー部材の補強差込部によって、差込部の強度を高めることができる。
【図面の簡単な説明】
【００１４】
【図１】本考案に係る段ボール製ベッドの斜視図である。
【図２】本考案に係る段ボール製ベッドの部品図である。
【図３】図２におけるＩＩＩ−ＩＩＩ断面図である。
【図４】本考案に係る段ボール製ベッドの組立図である。
【図５】折り曲げ形成されたカバー部材および天板部材の斜視図である。
【考案を実施するための形態】
【００１５】
以下に図面を用いて、本考案に係る段ボール製家具としての段ボール製ベッド（以下、ベッドと略称する）の実施形態を説明する。図１は、本実施形態におけるベッドＡの斜視図である。図に示すように、ベッドＡは、使用者の荷重を支持する本体１と、本体１の前方（使用者の頭側）に位置するヘッドボード２と、本体１の上側に載置される天板５１と、を備えている。
【００１６】
本実施形態における本体１は、互いに分離可能な３つの本体ユニット１１ａ，１１ｂ，１１ｃから構成されている。なお、各々の本体ユニットを区別する必要がない場合には、本体ユニット１１と表記する。以下の説明では、この本体ユニット１１ａ，１１ｂ，１１ｃの配置方向を縦方向（本考案における第１方向に相当）、平面視において縦方向に直交する方向を横方向（本考案における第２方向に相当）と称する。また、縦方向のヘッドボード２側を前、反対側を後ろと称する。
【００１７】
本実施形態における天板５１は、２枚の同形状の天板５１ａ，５１ｂから構成されている。天板５１ａは本体ユニット１１ａの前端から本体ユニット１１ｂの真ん中までを覆い、天板５１ｂは本体ユニット１１ｂの真ん中から本体ユニット１１ｃの後端までを覆っている。
【００１８】
図２は本実施形態におけるベッドＡの部品の平面図である。図に示すように、本実施形態におけるベッドＡは、縦板部材３１，横板部材３２，カバー部材４，天板部材５の４種類の部材と、これを収容するケースＣ（図４参照）のみで構成されている。縦板部材３１，横板部材３２，カバー部材４，天板部材５はいずれも段ボール製であり、略同一の厚みであり、本実施形態では約６ｍｍとしている。
【００１９】
縦板部材３１は略長方形の板状部材であり、本実施形態では６２０ｍｍ×３１５ｍｍとしている。縦板部材３１の一方（図中下側）の長辺には４つのスリット３１ａが所定の間隔をあけて形成されている。本実施形態では、スリット３１ａの間隔は１１９ｍｍとしている。スリット３１ａの幅は段ボールの厚みと略同じであり、その深さは１５８ｍｍとしている。
【００２０】
横板部材３２も同様に略長方形の板状部材であり、本実施形態では６９０ｍｍ×３１５ｍｍとしている。横板部材３２の一方（図中上側）の長辺には４つの第１スリット３２ａが所定の間隔をあけて形成されている。本実施形態では、第１スリット３２ａの間隔は９５ｍｍとしている。第１スリット３２ａの幅は段ボールの厚みと略同じであり、その深さは１５８ｍｍとしている。さらに横板部材３２には、４つの第１スリット３２ａを挟むように一対の第２スリット３２ｂが形成されている。本実施形態では、第２スリット３２ｂと第１スリット３２ａとの間隔は約９４．５ｍｍとし、第２スリット３２ｂの深さは１９８ｍｍとしている。第２スリット３２ｂの下方の幅は段ボールの厚みと略同じであるが、第２スリット３２ｂの上端部には段ボールの厚みの略２倍の幅の拡幅部３２ｃ（本考案における受入部の例）が形成されている。拡幅部３２ｃの深さは、後述するカバー部材４の上差込部４５の高さ、および、天板部材５の差込部５２の高さと略同じである８０ｍｍとしている。
【００２１】
詳細は後述するが、４枚の縦板部材３１と４枚の横板部材３２とを井桁状に組み合わせて、使用者の荷重を支持する荷重支持ユニット３となる（図４（ｂ）参照）。
【００２２】
カバー部材４は、縦板部材３１と略同一サイズのサイドボード４１と、サイドボード４１の両側方に形成された横折り返し部４２と、各々の横折り返し部４２の側方に形成された横差込部４３と、サイドボード４１の上側に形成された上折り返し部４４（本考案における折り返し部に相当）と、上折り返し部４４の上側に形成された上差込部４５（本考案における補強差込部に相当）と、から構成されている。また、各々の横差込部４３の下側辺には２つのスリット４３ａが形成されている。このスリット４３ａの幅も段ボールの厚みと略同じであり、その深さは１１８ｍｍとしている。また、スリット４３ａの間隔は、縦板部材３１のスリット３１ａの間隔と同じである。横差込部４３の幅はサイドボード４１の幅の１／２であり、各々の横差込部４３の側端から側端側のスリット４３ａまでの距離は、縦板部材３１のスリット３１ａの間隔、および、横差込部４３のスリット４３ａの間隔の１／２である。そのため、図５（ａ）に示すようにカバー部材４を折り曲げ形成した際に、２つの横差込部４３が隣り合い、それらの４つのスリット４３ａの配置は縦板部材３１のスリット３１ａの配置と同一となる。なお、ここでの「上」は、カバー部材４を図２の姿勢とした状態、すなわち、サイドボード４１を直立させた状態での「上」を意味する。
【００２３】
図３は、図２におけるＩＩＩ−ＩＩＩ断面図である。図に示すように、このような断面線で縦板部材３１を切断し、図中上方から見ると、段ボールのフルートＦの波型の形状を視認することができる。横板部材３２およびカバー部材４も同様である。このような方向で段ボールを使用することにより、耐荷重性能を高めることができる。
【００２４】
天板部材５は長方形の板状部材であり、本実施形態では９５０ｍｍ×６６０ｍｍとしている。天板部材５は、長方形状の天板５１と、天板５１の図中上下方向の両端に形成された差込部５２と、から構成されている。本実施形態では天板５１の縦方向（図中左右方向）長さと差込部５２の縦方向長さとは同一であり、ともに荷重支持ユニット３の縦方向長さの約１．５倍である。差込部の横方向（図中上下方向）長さは８０ｍｍとしている。
【００２５】
次に、図４および図５を用いて、本実施形態におけるベッドＡの組立方法を説明する。先ず、４枚の横板部材３２を互いに所定の間隔（縦板部材３１のスリット３１ａの間隔）が空き、第１スリット３２ａが上方に開口するように並べる。そして、各々のスリット３１ａが各々の横板部材３２の第１スリット３２ａと互いに嵌合するように縦板部材３１を上方から差し込む（図４（ａ））。これにより、図４（ｂ）に示すような４枚の横板部材３２と４枚の縦板部材３１とが井桁状に組み合わされた荷重支持ユニット３が形成される。
【００２６】
次に、カバー部材４を折り曲げ形成する（図５（ａ））。具体的には、サイドボード４１の両側方に形成された横折り返し部４２をそれぞれ内側（荷重支持ユニット３に向けて配置される側、図５では紙面手前側）に向けて９０°折り返す。そして、各々の横折り返し部４２に連接する横差込部４３をさらに内側に向けて９０°折り返す。これにより、サイドボード４１，横折り返し部４２，横差込部４３が平面視で略矩形を形成する。また、上折り返し部４４を内側に向けて９０°折返し、さらに、上差込部４５を内側に向けて９０°折り返す。
【００２７】
このようにして折り曲げ形成されたカバー部材４を荷重支持ユニット３に取り付ける（図４（ｃ））。具体的には、サイドボード４１が縦板部材３１と平行となり、横差込部４３が荷重支持ユニット３側となる姿勢で、横差込部４３のスリット４３ａと横板部材３２の第２スリット３２ｂとが互いに嵌合するように、カバー部材４を荷重支持ユニット３の上方から差し込む。このとき、上差込部４５を、横板部材３２の第２スリット３２ｂの拡幅部３２ｃに差し込む。カバー部材４は、荷重支持ユニット３の両横側にそれぞれ取り付けられ、本体ユニット１１が形成される（図４（ｄ））。このように、荷重支持ユニット３の横方向側部をカバー部材４で覆うことにより、荷重支持ユニット３の横方向側部の強度を高めることができる。
【００２８】
このような本体ユニット１１を３セット（本体ユニット１１ａ，１１ｂ，１１ｃ）組み立て、互いのサイドボード４１が連続するように並置する。その際、隣接する本体ユニット１１の間に横板部材３２を挟み込む（図４（ｅ））。このように横板部材３２を配置することにより、本体ユニット１１の近接部分の強度を高めることができる。
【００２９】
次に、天板部材５の差込部５２を下方に向けて９０°折り曲げる（図５（ｂ））。そして、差込部５２を荷重支持ユニット３の横板部材３２の第２スリット３２ｂの拡幅部３２ｃに差し込むように、天板部材５を本体１の上方から被せる。具体的には、天板５１ａが本体ユニット１１ａ全体と本体ユニット１１ｂの前半分を覆うように天板部材５ａを被せ、天板５１ｂが本体ユニット１１ｂの後ろ半分と本体ユニット１１ｃの全体を覆うように天板部材５ｂを被せる（図４（ｆ））。本実施形態では、天板５１および差込部５２の縦方向長さは、本体ユニット１１の縦方向長さの約１．５倍としている。そのため、同一形状の２枚の天板部材５ａ，５ｂにより、３つの本体ユニット１１から構成される本体１の上方を覆うことができる。
【００３０】
このように天板部材５ａ，５ｂを配置することにより、各々の天板部材５の差込部５２は隣り合う本体ユニット１１に形成された複数の第２スリット３２ｂの拡幅部３２ｃに差し込まれる。具体的には、天板部材５ａの差込部５２ａは、本体ユニット１１ａの全ての第２スリット３２ｂの拡幅部３２ｃと、本体ユニット１１ｂの前半分の第２スリット３２ｂの拡幅部３２ｃと、に差し込まれる。一方、天板部材５ｂの差込部５２ｂは、本体ユニット１１ｂの後ろ半分の第２スリット３２ｂの拡幅部３２ｃと、本体ユニット１１ｃの全ての第２スリット３２ｂの拡幅部３２ｃと、に差し込まれる。これにより、天板部材５が本体１に対して固定されるとともに、隣接する本体ユニット１１が分離することを防止することができる。また、寝返り等によって本体１に横方向のずれ力が作用しても、差込部５２が面としてその力を支持するため、隣接する本体ユニット１１が分離することを防止することができる。また、２つの差込部５２が横方向の各々の端部近傍に差し込まれているため、より大きな力を支えることができる。さらに、本実施形態のように、差込部５２を天板５１と一体的に形成することにより、差込部５２の強度を高めることができる。また、差込部５２とともに第２スリット３２ｂの拡幅部３２ｃに差し込まれているカバー部材４の上差込部４５が差込部５２の強度を高めるよう作用する。
【００３１】
最後に、ケースＣをヘッドボード２として、本体１の前側に立てる（図４（ｇ））。これにより、図１に示すベッドＡが完成する。
【００３２】
このように、本実施形態に係るベッドＡは、４種類の部材とこれらを収容するケースＣとだけで構成されており、折り曲げと差し込みのみで組み立てることができる。
【００３３】
〔別実施形態〕
（１）上述の実施形態では、２つの天板部材５ａ，５ｂを用いたが、本発明の作用効果を奏する限りにおいて天板部材５の数は適宜変更可能である。例えば、天板５１，差込部５２の縦方向長さを本体ユニット１１の縦方向長さの３倍、すなわち、本体１の縦方向長さと同じにすれば、１つの天板部材５のみとすることができる。また、３つ以上の天板部材５を用いても構わない。
【００３４】
（２）上述の実施形態では、天板５１の両端に差込部５２を設けたが、一方のみに差込部５２を設けても構わない。この場合、受入部としての第２スリット３２ｂの拡幅部３２ｃは差込部５２の構成に応じて、横方向の一方側のみに設ければよい。
【００３５】
（３）上述の実施形態では、天板部材５の天板５１と差込部５２との縦方向長さを同一としたが、本考案の作用効果を奏する限りにおいて異なる長さとしても構わない。例えば、天板５１の一方のみに天板の縦方向長さの倍の長さの差込部５２を設けることができる。この場合、天板部材５ａの差込部５２ａと、天板部材５ｂの差込部５２ｂとは反対方向に位置するように、配置する。また、差込部５２の縦方向長さを天板５１の縦方向長さよりも短くしても構わない。
【００３６】
（４）上述した実施形態では、３つの本体ユニット１１ａ，１１ｂ，１１ｃによって本体１を構成したが、本体１を構成する本体ユニット１１の数は適宜変更可能である。この場合、本考案の作用効果を奏するように差込部５２等の構成を変更すればよい。
【００３７】
（５）上述の実施形態におけるカバー部材４を備えない構成としても構わない。
【００３８】
（６）上述の実施形態では、受入部としての第２スリット３２ｂの拡幅部３２ｃを上方に開口するように配置したが、受入部をサイドボード４１に形成しても構わない。この場合、天板部材５の差込部５２は横方向から受入部に差し込む形状とすればよい。
【００３９】
（７）上述の実施形態では、天板部材５の横方向の端部近傍を折り返すことにより差込部５２としたが、天板５１とは別体の差込部５２を天板５１の下面から垂下するように固定しても構わない。
【産業上の利用可能性】
【００４０】
本考案は、段ボール製のベッド、ベンチ等の長さ方向に並置された複数の本体ユニットから構成されている本体を備えた段ボール製家具に利用することができる。
【符号の説明】
【００４１】
Ａ：ベッド（段ボール製家具）
１：本体
１１，１１ａ，１１ｂ，１１ｃ：本体ユニット
３２ｃ：拡幅部（受入部）
４：カバー部材
４１：サイドボード
４４：上折り返し部
４５：上差込部（補強差込部）
５，５ａ，５ｂ：天板部材
５１，５１ａ，５１ｂ：天板
５２，５２ａ，５２ｂ：差込部
【図１】
0003231361.tif 000003
【図２】
0003231361.tif 000004
【図３】
0003231361.tif 000005
【図４】
0003231361.tif 000006
【図５】
0003231361.tif 000007